(57)【要約】【課題】本発明は両面原稿の裏面画像の裏写りを速やかにかつ適切に除去する画像読取装置を提供する。【解決手段】複写装置１は、原稿読取部５の読み取った冊子形態の両面原稿の裏面の画像データを、裏面画像判定部６で、所定領域毎に分割して当該分割領域のうち所定の規定濃度以上の画像のある領域のみを裏面画像領域と判定し、原稿読取部５が、冊子形態の両面原稿を見開き２ページ全体を１度に読み取ると、裏写り除去手段で、当該冊子形態の両面原稿のＮ回目の読み取り画像データに対して、２Ｎ−１ページ目に当たる画像に対しては、２（Ｎ−１）ページ目の画像を裏面画像として裏面画像判定部６が判定した裏面画像領域についてのみ裏写り除去処理を行い、２Ｎページ目に当たる画像に対しては、２（Ｎ＋１）−１ページ目の画像を裏面画像として裏面画像判定部６が判定した裏面画像領域についてのみ裏写り除去処理を行う。【選択図】　　　　　図１
2004112496.tif 000002
【特許請求の範囲】
【請求項１】
両面原稿の表裏面の画像を読取手段で読み取って、裏写り除去手段で、前記両面原稿の表面の画像データから裏面画像を除去する裏写り除去処理を行う画像読取装置であって、前記読取手段の読み取った前記両面原稿の裏面の画像データを所定領域毎に分割して当該分割領域のうち所定の規定濃度以上の画像のある領域のみを裏面画像領域と判定する判定手段を備え、前記両面原稿が、冊子形態の原稿であり、前記読取手段は、当該冊子形態の両面原稿を見開き２ページ全体を１度に読み取り、前記裏写り除去手段は、当該冊子形態の両面原稿のＮ回目の読み取り画像データに対して、２Ｎ−１ページ目に当たる画像に対しては、２（Ｎ−１）ページ目の画像を裏面画像として前記判定手段が判定した裏面画像領域についてのみ前記裏写り除去処理を行い、２Ｎページ目に当たる画像に対しては、２（Ｎ＋１）−１ページ目の画像を裏面画像として前記判定手段が判定した裏面画像領域についてのみ前記裏写り除去処理を行うことを特徴とする画像読取装置。
【請求項２】
両面原稿の表裏面の画像を読取手段で読み取って、裏写り除去手段で、前記両面原稿の表面の画像データから裏面画像を除去する裏写り除去処理を行う画像読取装置であって、前記読取手段の読み取った前記両面原稿の裏面の画像データを所定領域毎に分割して当該分割領域のうち所定の規定濃度以上の画像のある領域のみを裏面画像領域と判定する判定手段を備え、前記両面原稿が、冊子形態の原稿であり、前記読取手段は、当該冊子形態の両面原稿を見開き２ページをページ毎に分割して読み取り、前記裏写り除去手段は、２Ｎ−１ページ目の読み取り後に、当該２Ｎ−１ページ目の画像を裏面画像として前記判定手段が判定した裏面画像領域についてのみ、２（Ｎ−１）ページ目の画像に対して裏写り除去処理を行い、２（Ｎ−１）ページ目の画像を裏面画像として前記判定手段が判定した裏面画像領域についてのみ、２Ｎ−１ページ目の画像に対して裏写り除去処理を行い、２Ｎページ目の読取画像と当該画像を裏面画像として前記判定手段が判定した裏面画像領域の情報を以降のページの読取画像に対する処理情報として記憶手段に格納することを特徴とする画像読取装置。
【請求項３】
前記画像読取装置は、前記判定手段の前記規定濃度を任意に設定可能とし、前記判定手段が、当該設定された規定濃度に基づいて、前記裏面画像領域を判定することを特徴とする請求項１または請求項２記載の画像読取装置。
【発明の詳細な説明】
【０００１】
【発明の属する技術分野】
本発明は、画像読取装置に関し、詳細には、両面原稿の裏面画像の裏写りを速やかにかつ適切に除去する画像読取装置に関する。
【０００２】
【従来の技術】
【特許文献１】
特開２００１−３１３８３０号公報
【特許文献２】
特開２００１−４５２９７号公報
【特許文献３】
特開２００１−１６９０８０号公報
カラースキャナ、デジタルカメラ、デジタルカラーコピア等の画像読取装置の普及により、本、雑誌、カタログ、広告、新聞等の文書画像も、カラーで入力されるのが一般的になってきている。
【０００３】
これらの本、雑誌、カタログ、広告、新聞等の文章は、紙の両面に印刷されていることが多く、このような両面に印刷されている用紙を画像読取装置で読み取ると、裏面の画像が透けて、表面の画像の中に混ざって入力される、いわゆる「裏写り」が生じる。
【０００４】
読取画像の画像品質を向上させるためには、この裏写り画像を読取画像から除去することが必要となってくるが、特に、カラー文章の場合、背景色が一様ではなく、複数の色が混ざっていたり、絵柄、模様、写真が混在していることが多いため、裏写りした画像を、当該文書を読み取った画像から除去することが、難しいものとされてきた。
【０００５】
そこで、従来、例えば、特許文献１の「画像処理装置およびその方法」が提案されている。この従来技術は、裏面の画像と表面の画像の差分をとることで、裏面の画像の表面に対する影響を除去して、裏写り除去を行っている。
【０００６】
また、従来、特許文献２の「画像処理装置」が提案されている。この従来技術は、表面、裏面の画像を読み取り、それぞれ反対の面に裏写りする領域をエッジ検出や輝度によって判定して、その領域に対して輝度を補正することで、裏写り除去を行っている。
【０００７】
さらに、本出願人は、先に、特許文献３の「カラー画像処理方法、カラー画像処理装置及びそのための記録媒体」を提案している。この技術は、紙の両面にカラー印刷された原稿の片面をデジタル入力して得られるデジタルカラー原画像に対してエッジを検出し、該検出したエッジの強度の低い部分に対する前記紙の背景色又は前記片面側の背景色画像を推定し、前記原画像において、裏写り成分である前記エッジ強度の低い部分を前記推定した背景色又は背景色画像に置き換えるカラー閾値処理を行うことにより、前記裏写り成分を除去した裏写り除去画像を生成するものである。
【０００８】
【発明が解決しようとする課題】
しかしながら、このような従来技術にあっては、速やかにかつより高精度に裏写り画像を除去して、読取画像の画像品質を向上させる上で、改良の必要があった。
【０００９】
すなわち、上記特許文献１及び特許文献２記載の従来技術は、裏面の画像と表面の画像の差分をとって、裏面画像を表面画像から除去しており、また、表裏面の画像を読み取り、それぞれ反対の面に裏写りする領域をエッジ検出や輝度によって判定して、その領域に対して輝度を補正して、裏面画像を表面画像から除去しているため、表面と裏面の画素の検出を高い精度で行う必要があり、また、検出した画素を表面と裏面で正確に合わせることが必要となる。ところが、検出した表面の画素と裏面の画素を正確に合わせることが困難であり、誤った画素に対して補正を行ってしまい、かえって画像品質を悪化させるおそれがあった。また、複雑な演算を行うため、裏写りに対する除去レベルによっては、処理デバイスに大きな負担がかかり、コストが高くついたり、処理速度が遅くなるという問題があった。
【００１０】
また、特許文献３記載の技術は、他の特許文献記載の技術に比較して、高い裏写り除去効果を期待することはできるが、不本意な裏写り除去、例えば、十分な裏写り除去や裏写り以外の箇所の画像の除去が発生するおそれがあった。
【００１１】
そこで、請求項１記載の発明は、両面原稿の表裏面の画像を読取手段で読み取って、裏写り除去手段で、両面原稿の表面の画像データから裏面画像を除去する裏写り除去処理を行うに際して、判定手段で、読取手段の読み取った両面原稿の裏面の画像データを所定領域毎に分割して当該分割領域のうち所定の規定濃度以上の画像のある領域のみを裏面画像領域と判定し、読取手段が、両面原稿として、冊子形態の両面原稿を見開き２ページ全体を１度に読み取ると、裏写り除去手段で、当該冊子形態の両面原稿のＮ回目の読み取り画像データに対して、２Ｎ−１ページ目に当たる画像に対しては、２（Ｎ−１）ページ目の画像を裏面画像として判定手段が判定した裏面画像領域についてのみ裏写り除去処理を行い、２Ｎページ目に当たる画像に対しては、２（Ｎ＋１）−１ページ目の画像を裏面画像として判定手段が判定した裏面画像領域についてのみ裏写り除去処理を行うことにより、冊子形態の両面原稿を見開き２ページ全体を１度に読み取った場合に、当該冊子形態の原稿の裏写りのする必要な範囲に対してのみ裏写り除去処理を行い、裏写り除去処理を速やかにかつ正確に行う画像読取装置を提供することを目的としている。
【００１２】
請求項２記載の発明は、両面原稿の表裏面の画像を読取手段で読み取って、裏写り除去手段で、両面原稿の表面の画像データから裏面画像を除去する裏写り除去処理を行うに際して、判定手段で、読取手段の読み取った両面原稿の裏面の画像データを所定領域毎に分割して当該分割領域のうち所定の規定濃度以上の画像のある領域のみを裏面画像領域と判定し、読取手段が、両面原稿として、冊子形態の両面原稿を見開き２ページをページ毎に分割して読み取ると、裏写り除去手段で、２Ｎ−１ページ目の読み取り後に、当該２Ｎ−１ページ目の画像を裏面画像として判定手段が判定した裏面画像領域についてのみ、２（Ｎ−１）ページ目の画像に対して裏写り除去処理を行い、２（Ｎ−１）ページ目の画像を裏面画像として判定手段が判定した裏面画像領域についてのみ、２Ｎ−１ページ目の画像に対して裏写り除去処理を行い、２Ｎページ目の読取画像と当該画像を裏面画像として判定手段が判定した裏面画像領域の情報を以降のページの読取画像に対する処理情報として記憶手段に格納することにより、冊子形態の両面原稿を見開き２ページをページ毎に分割して読み取った場合に、当該冊子形態の原稿の裏写りのする必要な範囲に対してのみ裏写り除去処理を行い、裏写り除去処理を速やかにかつ正確に行う画像読取装置を提供することを目的としている。
【００１３】
請求項３記載の発明は、判定手段の規定濃度を任意に設定可能とし、判定手段が、当該設定された規定濃度に基づいて、裏面画像領域を判定することにより、原稿の種類によって変化する裏写り状態に最適な範囲を裏写り範囲として判定し、最適な範囲についてのみ裏写り除去処理を行って、裏写り除去処理をより一層速やかにかつより一層正確に行う画像読取装置を提供することを目的としている。
【００１４】
【課題を解決するための手段】
請求項１記載の発明の画像読取装置は、両面原稿の表裏面の画像を読取手段で読み取って、裏写り除去手段で、前記両面原稿の表面の画像データから裏面画像を除去する裏写り除去処理を行う画像読取装置であって、前記読取手段の読み取った前記両面原稿の裏面の画像データを所定領域毎に分割して当該分割領域のうち所定の規定濃度以上の画像のある領域のみを裏面画像領域と判定する判定手段を備え、前記両面原稿が、冊子形態の原稿であり、前記読取手段は、当該冊子形態の両面原稿を見開き２ページ全体を１度に読み取り、前記裏写り除去手段は、当該冊子形態の両面原稿のＮ回目の読み取り画像データに対して、２Ｎ−１ページ目に当たる画像に対しては、２（Ｎ−１）ページ目の画像を裏面画像として前記判定手段が判定した裏面画像領域についてのみ前記裏写り除去処理を行い、２Ｎページ目に当たる画像に対しては、２（Ｎ＋１）−１ページ目の画像を裏面画像として前記判定手段が判定した裏面画像領域についてのみ前記裏写り除去処理を行うことにより、上記目的を達成している。
【００１５】
上記構成によれば、両面原稿の表裏面の画像を読取手段で読み取って、裏写り除去手段で、両面原稿の表面の画像データから裏面画像を除去する裏写り除去処理を行うに際して、判定手段で、読取手段の読み取った両面原稿の裏面の画像データを所定領域毎に分割して当該分割領域のうち所定の規定濃度以上の画像のある領域のみを裏面画像領域と判定し、読取手段が、両面原稿として、冊子形態の両面原稿を見開き２ページ全体を１度に読み取ると、裏写り除去手段で、当該冊子形態の両面原稿のＮ回目の読み取り画像データに対して、２Ｎ−１ページ目に当たる画像に対しては、２（Ｎ−１）ページ目の画像を裏面画像として判定手段が判定した裏面画像領域についてのみ裏写り除去処理を行い、２Ｎページ目に当たる画像に対しては、２（Ｎ＋１）−１ページ目の画像を裏面画像として判定手段が判定した裏面画像領域についてのみ裏写り除去処理を行うので、冊子形態の両面原稿を見開き２ページ全体を１度に読み取った場合に、当該冊子形態の原稿の裏写りのする必要な範囲に対してのみ裏写り除去処理を行うことができ、裏写り除去処理を速やかにかつ正確に行うことができる。
【００１６】
請求項２記載の発明の画像読取装置は、両面原稿の表裏面の画像を読取手段で読み取って、裏写り除去手段で、前記両面原稿の表面の画像データから裏面画像を除去する裏写り除去処理を行う画像読取装置であって、前記読取手段の読み取った前記両面原稿の裏面の画像データを所定領域毎に分割して当該分割領域のうち所定の規定濃度以上の画像のある領域のみを裏面画像領域と判定する判定手段を備え、前記両面原稿が、冊子形態の原稿であり、前記読取手段は、当該冊子形態の両面原稿を見開き２ページをページ毎に分割して読み取り、前記裏写り除去手段は、２Ｎ−１ページ目の読み取り後に、当該２Ｎ−１ページ目の画像を裏面画像として前記判定手段が判定した裏面画像領域についてのみ、２（Ｎ−１）ページ目の画像に対して裏写り除去処理を行い、２（Ｎ−１）ページ目の画像を裏面画像として前記判定手段が判定した裏面画像領域についてのみ、２Ｎ−１ページ目の画像に対して裏写り除去処理を行い、２Ｎページ目の読取画像と当該画像を裏面画像として前記判定手段が判定した裏面画像領域の情報を以降のページの読取画像に対する処理情報として記憶手段に格納することにより、上記目的を達成している。
【００１７】
上記構成によれば、両面原稿の表裏面の画像を読取手段で読み取って、裏写り除去手段で、両面原稿の表面の画像データから裏面画像を除去する裏写り除去処理を行うに際して、判定手段で、読取手段の読み取った両面原稿の裏面の画像データを所定領域毎に分割して当該分割領域のうち所定の規定濃度以上の画像のある領域のみを裏面画像領域と判定し、読取手段が、両面原稿として、冊子形態の両面原稿を見開き２ページをページ毎に分割して読み取ると、裏写り除去手段で、２Ｎ−１ページ目の読み取り後に、当該２Ｎ−１ページ目の画像を裏面画像として判定手段が判定した裏面画像領域についてのみ、２（Ｎ−１）ページ目の画像に対して裏写り除去処理を行い、２（Ｎ−１）ページ目の画像を裏面画像として判定手段が判定した裏面画像領域についてのみ、２Ｎ−１ページ目の画像に対して裏写り除去処理を行い、２Ｎページ目の読取画像と当該画像を裏面画像として判定手段が判定した裏面画像領域の情報を以降のページの読取画像に対する処理情報として記憶手段に格納するので、冊子形態の両面原稿を見開き２ページをページ毎に分割して読み取った場合に、当該冊子形態の原稿の裏写りのする必要な範囲に対してのみ裏写り除去処理を行うことができ、裏写り除去処理を速やかにかつ正確に行うことができる。
【００１８】
上記各場合において、例えば、請求項３に記載するように、前記画像読取装置は、前記判定手段の前記規定濃度を任意に設定可能とし、前記判定手段が、当該設定された規定濃度に基づいて、前記裏面画像領域を判定するものであってもよい。
【００１９】
上記構成によれば、判定手段の規定濃度を任意に設定可能とし、判定手段が、当該設定された規定濃度に基づいて、裏面画像領域を判定するので、原稿の種類によって変化する裏写り状態に最適な範囲を裏写り範囲として判定することができ、最適な範囲についてのみ裏写り除去処理を行って、裏写り除去処理をより一層速やかにかつより一層正確に行うことができる。
【００２０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２１】
図１〜図６は、本発明の画像読取装置の一実施の形態を示す図であり、図１は、本発明の原稿読取装置の一実施の形態を適用した複写装置１の概略ブロック構成図である。
【００２２】
図１において、複写装置１は、コントローラ２、ユーザインタフェース３、画像記憶部４、原稿読取部５、裏面画像判定部６、裏写り除去処理部７及び画像出力部８等を備えている。
【００２３】
コントローラ２は、ＣＰＵ（Ｃｅｎｔｒａｌ　Ｐｒｏｃｅｓｓｉｎｇ　Ｕｎｉｔ　）、ＲＯＭ（Ｒｅａｄ　Ｏｎｌｙ　Ｍｅｍｏｒｙ）及びＲＡＭ（Ｒａｎｄｏｍ　Ａｃｃｅｓｓ　Ｍｅｍｏｒｙ）等を備え、ＲＯＭ内には、複写装置１としての基本処理プログラムと後述する裏写り除去処理プログラム及びこれらの各処理を実行するのに必要なデータが予め格納されている。
【００２４】
コントローラ２は、ＣＰＵがＲＯＭ内のプログラムに基づいて、ＲＡＭをワークメモリとして利用しつつ複写装置１の各部を制御して、複写装置１としての基本処理及び後述する裏写り除去処理を実行する。
【００２５】
ユーザインタフェース２は、各種操作キー及びディスプレイを備え、操作キーからは複写装置１を操作するのに必要な各種キー操作が行われ、ディスプレイには、操作キーの操作内容や複写装置１からオペレータに通知する各種情報を表示出力する。
【００２６】
原稿読取部（読取手段）５は、コントローラ２の制御下で、原稿を主走査及び副走査して、原稿の画像を読み取って、電気的なデジタルの画像データに変換する。
【００２７】
裏面画像判定部（判定手段）６は、原稿読取部５から裏面の画像データを受け取って、当該裏面の画像データを所定領域毎に分割して当該分割領域のうち所定の規定濃度以上の画像のある領域のみを裏面画像領域と判定し、判定した裏面画像範囲（領域）を裏写り除去処理部７に出力する。
【００２８】
裏写り除去処理部（裏写り除去手段）７は、原稿読取部５から受け取った表面の画像データに対して、裏面画像判定部６の判定した裏面画像領域に基づいて裏写り除去処理を行う。裏写り除去処理部７は、この裏写り除去処理において、裏面画像判定部６の判定した裏面画像領域についてのみ、例えば、上記特許文献３の特開２００１−１６９０８０号公報に記載されている裏写り除去方法を用いて、表面画像データから裏面画像データを除去する裏写り除去処理を行い、裏写りを除去した表面画像データを画像出力部８に出力する。すなわち、裏写り除去処理部７は、例えば、原稿の表面画像のエッジを検出し、当該検出したエッジの強度の低い部分を裏面の背景色又は裏面側の背景色画像であると推定して、当該推定に基づいて表面画像から裏面画像を除去する裏写り除去方法で裏写り除去を行う。
【００２９】
画像出力部８は、所定の記録方式、例えば、電子写真方式で、裏写り除去処理部７から入力される裏写り除去された画像データに基づいて、転写紙に画像を記録出力する。
【００３０】
次に、本実施の形態の作用を説明する。本実施の形態の複写装置１は、裏写り除去処理を裏面側の画像領域のみについて行う。
【００３１】
すなわち、複写装置１は、読取原稿が両面原稿であり、表面画像が、図２（ａ）に示すような画像であって、裏面画像が、図２（ｂ）に示すような画像であると、原稿の用紙の厚さ等によっては、図２（ｃ）に示すように、表面に裏面の画像が裏写りした状態となり、表面画像を読み取る場合、この裏写り状態の表面画像を読み取ることとなる。
【００３２】
そこで、本実施の形態の複写装置１は、まず裏面の画像を読み取り、その読み取り画像を、裏面画像判定部６で、図２（ｄ）に示すように、任意のマトリクスに分割して、それぞれのマトリクスにある一定以上の濃度Ｌｖの画像がないかを判定する処理を全てのマトリックスに対して行うことで、裏面画像領域を判定する。図２（ｄ）では、ハッチングの施されている範囲が裏面画像の画像領域となる。そして、裏写り除去処理部７は、図２（ｅ）に示すように、裏面画像判定部６で認識した裏面画像の画像領域部分（図２（ｅ）のハッチングの範囲）を裏写り除去の範囲として、当該範囲についてのみ、例えば、特許文献３記載の裏写り除去方法で裏写り除去処理を行う。
【００３３】
そして、上記裏面の画像を表面として画像を読み取る際には、上記の裏面とした図２（ｂ）の画像が表面画像となり、図２（ａ）の画像画裏面画像となって、このときの裏面画像領域は、図２（ｆ）にハッチングで示す範囲となる。そして、この場合には、図２（ｇ）にハッチングで示す範囲を補正範囲として、裏写り除去処理部７で裏写り除去処理を行う。
【００３４】
そして、裏面画像判定部６は、上記裏面画像の画像領域の判定を、図３に示すように行う。まず、裏面画像を分割するマトリックスを特定する変数ｎを「０」に初期化し（ステップＳ１０１）、ｎ番目のマトリックスに予め設定された画像濃度Ｌｖ以上の画素があるかチェックする（ステップＳ１０２）。
【００３５】
ステップＳ１０２で、画像濃度Ｌｖ以上の画素がないときには、裏面画像判定部６は、当該マトリックスには裏面画像がないと判定して、変数ｎを「１」だけインクリメント（ｎ＝ｎ＋１）し（ステップＳ１０３）、全てのマトリックスに対して判定が終了したかチェックする（ステップＳ１０４）。
【００３６】
ステップＳ１０４で、全てのマトリックスについて判定が終了していないときには、裏面画像判定部６は、ステップＳ１０２に戻って、当該インクリメントした変数ｎのマトリックスについて、上記同様に、画像濃度Ｌｖ以上の画素があるかチェックし（ステップＳ１０２）、画像濃度Ｌｖ以上の画素があると、当該マトリックスを裏面画像有りとして登録して（ステップＳ１０５）、ステップＳ１０３に移行して、変数ｎをインクリメントする（ステップＳ１０３）。
【００３７】
ステップＳ１０４で、全てのマトリックスについて判定が終了していないときには、裏面画像判定部６は、ステップＳ１０２に戻って、上記同様に判定処理を行い（ステップＳ１０２〜Ｓ１０５）、ステップＳ１０４で、全てのマトリックスについて判定処理を終了すると、裏面画像判定処理を終了する。
【００３８】
このように、本実施の形態の複写装置１は、例えば、図２では図２（ｅ）のハッチングで示した領域以外には裏写り除去処理を行わないので、処理にかかる負担を軽減できる。また、裏面の画像がない部分には補正処理を行わないので、処理を行わない部分に対して、画像の劣化を防ぐことができる。
【００３９】
そして、読取原稿が上述のように複数枚のシート原稿であるときには、直前の読取画像がそのまま裏面の画像となるが、図４に示すような雑誌等の冊子の形態の原稿であると、直前の読み取り画像がそのまま裏面の画像となるわけではない。
【００４０】
まず、このような冊子原稿を見開きページを見開いた全体を１度に読み取る読取方法でページの順番に画像を読み取る場合には、前回読み取った画像のうち、数の大きい方のページの部分の画像が今回読み取った画像の数の小さい方のページの裏面となる。例えば、図４に示すような構成の冊子原稿の場合、当該冊子原稿を見開きページを見開いた全体を１度に読み取ると、Ｎ−１回目の読取画像に、２（Ｎ−１）−１ページ目の画像と、２（Ｎ−１）ページ目の画像が、Ｎ回目の読取画像に、２Ｎ−１ページ目の画像と、２Ｎページ目の画像が、Ｎ＋１回目の読取画像に、２（Ｎ＋１）−１ページ目の画像と、２（Ｎ＋１）ページ目の画像が、それぞれ順番に含まれる。すなわち、２（Ｎ−１）−１ページ、２（Ｎ−１）ページ、２Ｎ−１ページ、２Ｎページ、２（Ｎ＋１）−１ページ、２（Ｎ＋１）ページの順にページ画像が読み込まれることになる。
【００４１】
このような読取画像では、２Ｎページ目の画像が、２（Ｎ＋１）−１ページ目の裏面画像となる。
【００４２】
そこで、本実施の形態の複写装置１は、上述のように冊子原稿を見開きページを見開いた全体を１度に読み取る読取方法でページの順番に画像を読み取る場合には、図５に示すように、ページ画像の調整を行いつつ裏面画像判定部６で裏面画像領域判定を行って、裏写り除去処理を行う。
【００４３】
すなわち、複写装置１は、図５に示すように、ユーザインタフェース３でユーザの読み取り開始指示を認識すると（ステップＳ２０１）、コントローラ２が、原稿読取部５に読み取りを指示する。原稿読取部５は、原稿読取台（コンタクトガラス等）にセットされている冊子原稿のＮ回目の見開きページ全体の画像を１度に読み取り、画像データに変換して裏面画像判定部６に送る（ステップＳ２０２）。
【００４４】
裏面画像判定部６は、原稿読取部５から送られてきた画像データを冊子の中央部で分割し、２ページ目に当たる画像を次の３ページ目の画像に対しての裏面として認識して、当該裏面画像の裏面画像領域を判定する（ステップＳ２０３）。コントローラ２は、裏面画像判定部６での判定の完了した読取画像データと、判定した裏面画像領域と、を画像記憶部４に一旦格納する（ステップＳ２０４）。
【００４５】
コントローラ２は、次に、当該読取を行った回数Ｎが１回目（Ｎ＝１）であるかチェックし（ステップＳ２０５）、１回目であると、ユーザに対して次の見開きページを原稿読取部５にセットするようにユーザインタフェース３のディスプレイに表示する等の方法で指示を行って、ステップＳ２０１に戻る（ステップＳ２０６）。
【００４６】
ユーザが次ページをセットし、スタートキーを押すと（ステップＳ２０１）、コントローラ２は、再び原稿読取部５に原稿を読み取る指示を出して、原稿読取部５で読み取った画像データを、上記同様に、裏面画像判定部６に送り（ステップＳ２０２）、裏面画像判定部６が、上述のように、画像データを分割して、例えば、２回目の読取の場合には、３ページ目に当たる画像を２ページ目の裏面画像、４ページ目に当たる画像を５ページ目の裏面画像として裏面画像領域を判定する（ステップＳ２０３）。
【００４７】
コントローラ２は、裏面画像判定部６での判定の完了した読取画像データと判定した裏面画像領域を画像記憶部４に一旦格納する（ステップＳ２０４）。
【００４８】
コントローラ２は、次に、当該読取を行った回数Ｎが１回目（Ｎ＝１）であるかチェックし（ステップＳ２０５）、いま、２回目以降であると、画像記憶部４に退避されていたＮ−１ページ目の原稿の画像データとＮページ目の原稿の画像データ（例えば、２回目の読み取りのときには、１ページ目の原稿の画像データと２ページ目の原稿の画像データ）を裏写り除去処理部７に送る。裏写り除去処理部７は、送られた画像データに対して、２（Ｎ−１）ページは、２（Ｎ−２）＋１ページを、２（Ｎ−１）＋１ページは、２Ｎページを、それぞれ裏面と判断して裏写り除去処理を行う。例えば、２ページ目に関しては、３ページ目の画像を用いて判定した領域について裏写り除去処理を行う。また、Ｎ＝２、すなわち、２回目の読取時には、１ページ目の画像範囲に関しては全面に対して裏写り除去処理を行う（ステップＳ２０７）。
【００４９】
コントローラ２は、裏写り除去の完了したＮ−１番目の画像データを画像出力部８に転送して、画像出力部８で記録紙に記録出力させ（ステップＳ２０８）、ユーザに対して次の見開きページを原稿読取部５にセットするようにユーザインタフェース３のディスプレイに表示する等の方法で指示を行って、ステップＳ２０１に戻り（ステップＳ２０６）、上記同様に処理する（ステップＳ２０１〜Ｓ２０８）。この場合、Ｎ回目の読み取りを行った際には、２Ｎ−１ページ目の画像は、２（Ｎ−１）ページ目の裏面画像、２Ｎページ目の画像は、２（Ｎ＋１）−１ページ目の裏面画像として、それぞれ裏面画像領域を判定し、２（Ｎ−２）ページ目で判定した画像領域と、２Ｎ−１ページ目で判定した裏面画像領域を用いて、２（Ｎ−１）−１ページ目の画像と２（Ｎ−１）ページ目の画像からなるＮ−１回目の読取画像の裏写り除去処理を行い、得られた画像を画像出力部８に出力する。
【００５０】
このように、本実施の形態の複写装置１は、両面原稿の表裏面の画像を原稿読取部５で読み取って、裏写り除去処理部７で、両面原稿の表面の画像データから裏面画像を除去する裏写り除去処理を行うに際して、裏面画像判定部６で、原稿読取部５の読み取った両面原稿の裏面の画像データを所定領域毎に分割して当該分割領域のうち所定の規定濃度Ｌｖ以上の画像のある領域のみを裏面画像領域と判定し、原稿読取部５が、両面原稿として、冊子形態の両面原稿を見開き２ページ全体を１度に読み取ると、裏写り除去手段で、当該冊子形態の両面原稿のＮ回目の読み取り画像データに対して、２Ｎ−１ページ目に当たる画像に対しては、２（Ｎ−１）ページ目の画像を裏面画像として裏面画像判定部６が判定した裏面画像領域についてのみ裏写り除去処理を行い、２Ｎページ目に当たる画像に対しては、２（Ｎ＋１）−１ページ目の画像を裏面画像として裏面画像判定部６が判定した裏面画像領域についてのみ裏写り除去処理を行っている。
【００５１】
したがって、冊子形態の両面原稿を見開き２ページ全体を１度に読み取った場合に、当該冊子形態の原稿の裏写りのする必要な範囲に対してのみ裏写り除去処理を行うことができ、裏写り除去処理を速やかにかつ正確に行うことができる。また、複写装置１は、冊子形態の原稿の見開きページの画像をページ毎に別々に走査して読み取る読取モードを有しており、この読取モードでは、例えば、図４に示した冊子形態の原稿のＮ番目にセットされた原稿を、２Ｎ−１ページの範囲、２Ｎページの範囲という順番で、別々に読み取りを行うモードである。
【００５２】
このように冊子形態の原稿の見開きページの画像をページ毎に別々に読み取る場合、複写装置１は、図６に示すように、処理を行う。
【００５３】
すなわち、複写装置１は、図６に示すように、ユーザインタフェース３でユーザの読取開始指示を認識すると（ステップＳ３０１）、コントローラ２が、原稿読取部５に読み取りを指示する。原稿読取部５は、原稿読取台（コンタクトガラス等）にセットされている冊子原稿のＮ回目、いまは最初の読取であるから１回目の読み取りの見開きページの２Ｎ−１ページ（今回の処理では、１ページ）目の画像を読み取り（ステップＳ３０２）、画像データに変換して裏面画像判定部６に送って、読取回数を示す変数Ｎが「１」かどうか、すなわち１回目の読み取りであるかチェックする（ステップＳ３０３）。
【００５４】
１回目の読み取りであると、ステップＳ３０７に移行して、裏面画像判定部６が、当該１ページ目の画像範囲全面に画像があると判定して、裏写り除去処理部７に当該読取画像データを送り、裏写り除去処理部７で、画像データ全体に対して裏写り除去処理を行って（ステップＳ３０７）、画像出力部８に裏写り除去後の１ページ目の画像データを転送して、画像出力部８で転写紙の記録出力する（ステップＳ３０８）。
【００５５】
コントローラ２は、次に、原稿読取部５に当該見開きページの２（Ｎ−１）ページ目、すなわち、２ページ目の画像を読み取らせ、裏面画像判定部６に転送する（ステップＳ３０９）。
【００５６】
裏面画像判定部６は、当該読み取られた画像データを、３ページ目の裏面として、当該画像の裏面画像領域の判定を行い（ステップＳ３１０）、当該２ページ目の画像データと判定した画像領域の判定結果を画像記憶部４に送る（ステップＳ３１１）。
【００５７】
見開きページの両ページの画像の処理が完了すると、ユーザに対して次の見開きページを原稿読取部５にセットするようにユーザインタフェース３のディスプレイに表示する等の方法で指示を行って、ステップＳ３０１に戻る（ステップＳ３１２）。
【００５８】
ユーザインタフェース３でユーザの読取開始指示があると（ステップＳ３０１）、コントローラ２が、原稿読取部５に読み取りを指示する。原稿読取部５は、原稿読取台（コンタクトガラス等）にセットされている冊子原稿のＮ回目の読み取りの見開きページの２Ｎ−１ページの画像を読み取り（ステップＳ３０２）、画像データに変換して裏面画像判定部６に送って、読取回数を示す変数Ｎが「１」かどうか、すなわち１回目の読み取りであるかチェックする（ステップＳ３０３）。
【００５９】
１回目以降の読み取りであると、ステップＳ３０４に移行して、裏面画像判定部６が、当該画像データの裏面画像領域を判定して、当該判定結果と画像データを一旦画像記憶部４に格納して（ステップＳ３０４）、裏写り除去処理部７で、当該２Ｎ−１ページ目の裏面画像領域判定結果を用いて、画像記憶部４に退避されておいた２（Ｎ−１）ページ目の画像データに対して、裏写り除去処理を行って（ステップＳ３０５）、当該２（Ｎ−１）ページ目の画像を画像出力部８に転送して、画像出力部８で、転写紙に記録出力する（ステップＳ３０６）。
【００６０】
次に、裏写り除去処理部７が、２（Ｎ−１）ページ目の裏面画像領域の判定結果に基づいて、２Ｎ−１ページ目の画像データに対して裏写り除去処理を行い（ステップＳ３０７）、当該２Ｎ−１ページ目の画像データを画像出力部８に転送して、画像出力部８で、転写紙に記録出力する（ステップＳ３０８）。
【００６１】
その後、コントローラ２は、原稿読取部５に、２Ｎページ目を読み取らせ（ステップＳ３０９）、裏面画像判定部６で、当該２Ｎページ目の裏面画像領域の判定を行わせて（ステップＳ３１０）、２Ｎページ目の画像データと裏面画像領域の判定結果を画像記憶部４に退避させる（ステップＳ３１１）。
【００６２】
そして、コントローラ２は、上述のようにして、見開きページの両ページの画像の処理が完了すると、ユーザに対して次の見開きページを原稿読取部５にセットするようにユーザインタフェース３のディスプレイに表示する等の方法で指示を行って、ステップＳ３０１に戻る（ステップＳ３１２）。
【００６３】
以降、コントローラ２は、上記同様に処理して（ステップＳ３０１〜Ｓ３１２）、全ての見開きページの処理が完了すると、処理を終了する。
【００６４】
このように、本実施の形態の複写装置１は、両面原稿の表裏面の画像を原稿読取部５で読み取って、裏写り除去処理部７で、両面原稿の表面の画像データから裏面画像を除去する裏写り除去処理を行うに際して、裏面画像判定部６で、原稿読取部５の読み取った両面原稿の裏面の画像データを所定領域毎に分割して当該分割領域のうち所定の規定濃度以上の画像のある領域のみを裏面画像領域と判定し、原稿読取部５が、両面原稿として、冊子形態の両面原稿を見開き２ページをページ毎に分割して読み取ると、裏写り除去処理部７で、２Ｎ−１ページ目の読み取り後に、当該２Ｎ−１ページ目の画像を裏面画像として原稿読取部５が判定した裏面画像領域についてのみ、２（Ｎ−１）ページ目の画像に対して裏写り除去処理を行い、２（Ｎ−１）ページ目の画像を裏面画像として裏面画像判定部６が判定した裏面画像領域についてのみ、２Ｎ−１ページ目の画像に対して裏写り除去処理を行い、２Ｎページ目の読取画像と当該画像を裏面画像として裏面画像判定部６が判定した裏面画像領域の情報を以降のページの読取画像に対する処理情報として画像記憶部４に格納している。
【００６５】
したがって、冊子形態の両面原稿を見開き２ページをページ毎に分割して読み取った場合に、当該冊子形態の原稿の裏写りのする必要な範囲に対してのみ裏写り除去処理を行うことができ、裏写り除去処理を速やかにかつ正確に行うことができる。
【００６６】
また、上記処理において、裏面画像の有／無を判定する画像濃度レベルＬｖをユーザが自由に設定できるようにしてもよい。
【００６７】
すなわち、裏写りの度合いは原稿の紙質等によって決まるため、裏写りの度合いの弱い原稿においては、画像濃度レベルＬｖを大きくすると、裏写りの予想される範囲を小さくすることができ、裏写り除去処理を行う範囲を小さくして、処理の負荷を軽減することができる。
【００６８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６９】
例えば、上記実施の形態においては、複写装置１に適用した場合について説明しているが、複写装置１０に限るものではなく、ファクシミリ装置、スキャナ、デジタルスチルカメラ等の原稿の画像の読み取りを行う画像読取装置一般に適用することができる。
【００７０】
【発明の効果】
請求項１記載の発明の画像読取装置によれば、両面原稿の表裏面の画像を読取手段で読み取って、裏写り除去手段で、両面原稿の表面の画像データから裏面画像を除去する裏写り除去処理を行うに際して、判定手段で、読取手段の読み取った両面原稿の裏面の画像データを所定領域毎に分割して当該分割領域のうち所定の規定濃度以上の画像のある領域のみを裏面画像領域と判定し、読取手段が、両面原稿として、冊子形態の両面原稿を見開き２ページ全体を１度に読み取ると、裏写り除去手段で、当該冊子形態の両面原稿のＮ回目の読み取り画像データに対して、２Ｎ−１ページ目に当たる画像に対しては、２（Ｎ−１）ページ目の画像を裏面画像として判定手段が判定した裏面画像領域についてのみ裏写り除去処理を行い、２Ｎページ目に当たる画像に対しては、２（Ｎ＋１）−１ページ目の画像を裏面画像として判定手段が判定した裏面画像領域についてのみ裏写り除去処理を行うので、冊子形態の両面原稿を見開き２ページ全体を１度に読み取った場合に、当該冊子形態の原稿の裏写りのする必要な範囲に対してのみ裏写り除去処理を行うことができ、裏写り除去処理を速やかにかつ正確に行うことができる。
【００７１】
請求項２記載の発明の画像読取装置によれば、両面原稿の表裏面の画像を読取手段で読み取って、裏写り除去手段で、両面原稿の表面の画像データから裏面画像を除去する裏写り除去処理を行うに際して、判定手段で、読取手段の読み取った両面原稿の裏面の画像データを所定領域毎に分割して当該分割領域のうち所定の規定濃度以上の画像のある領域のみを裏面画像領域と判定し、読取手段が、両面原稿として、冊子形態の両面原稿を見開き２ページをページ毎に分割して読み取ると、裏写り除去手段で、２Ｎ−１ページ目の読み取り後に、当該２Ｎ−１ページ目の画像を裏面画像として判定手段が判定した裏面画像領域についてのみ、２（Ｎ−１）ページ目の画像に対して裏写り除去処理を行い、２（Ｎ−１）ページ目の画像を裏面画像として判定手段が判定した裏面画像領域についてのみ、２Ｎ−１ページ目の画像に対して裏写り除去処理を行い、２Ｎページ目の読取画像と当該画像を裏面画像として判定手段が判定した裏面画像領域の情報を以降のページの読取画像に対する処理情報として記憶手段に格納するので、冊子形態の両面原稿を見開き２ページをページ毎に分割して読み取った場合に、当該冊子形態の原稿の裏写りのする必要な範囲に対してのみ裏写り除去処理を行うことができ、裏写り除去処理を速やかにかつ正確に行うことができる。
【００７２】
請求項３記載の発明の画像読取装置によれば、判定手段の規定濃度を任意に設定可能とし、判定手段が、当該設定された規定濃度に基づいて、裏面画像領域を判定するので、原稿の種類によって変化する裏写り状態に最適な範囲を裏写り範囲として判定することができ、最適な範囲についてのみ裏写り除去処理を行って、裏写り除去処理をより一層速やかにかつより一層正確に行うことができる。
【図面の簡単な説明】
【図１】本発明の画像読取装置の一実施の形態を適用した複写装置の概略ブロック構成図。
【図２】図１の複写装置で裏写り除去処理するシート原稿の表面画像（ａ）、裏面画像（ｂ）、裏写りの生じている表面画像（ｃ）、裏面画像領域と当該範囲を抽出するためのマトリックス（ｄ）、裏写り除去補正範囲と表面画像（ｅ）、（ｂ）を表面とする場合の裏面画像領域（ｆ）及び（ｂ）を表面とする場合の裏写り除去補正範囲と表面画像（ｇ）を示す図。
【図３】図１の複写装置による裏面画像領域判定処理を示すフローチャート。
【図４】図１の複写装置で見開き２ページを１回で読み取る冊子形態の原稿のＮ−１回目の読取画像（ａ）、Ｎ回目の読取画像（ｂ）、Ｎ＋１回目の読取画像（ｃ）を示す図。
【図５】図１の複写装置による図４の冊子原稿の見開き２ページを１回で読み取る場合の裏写り除去処理を示すフローチャート。
【図６】図１の複写装置による図５の冊子原稿の見開き２ページをページ毎に分割して読み取る場合の裏写り除去処理を示すフローチャート。
【符号の説明】
１　複写装置
２　コントローラ
３　ユーザインタフェース
４　画像記憶部
５　原稿読取部
６　裏面画像判定部
７　裏写り除去処理部
８　画像出力部
【図１】
2004112496.tif 000003
【図２】
2004112496.tif 000004
【図３】
2004112496.tif 000005
【図４】
2004112496.tif 000006
【図５】
2004112496.tif 000007
【図６】
2004112496.tif 000008